(57)【要約】【課題】集塵空間における空気の流れをスムーズにし、効率を向上できる電気掃除機を提供することを課題とする。【解決手段】集塵空間１０には、集塵空間１０略中央部に、上方から下面を開口２５した第２の円筒状筒体２３を垂下形成すると共に、集塵空間１０底面から上方に向かって第２の円筒状筒体２３の下部開口２５から第２の円筒状筒体２３内に排気筒４０を延設し、排気筒４０を、少なくとも第２の円筒状筒体２３の下部開口２５より高い位置まで延設する。【選択図】      図１
2004305230.tif 000002
【特許請求の範囲】
【請求項１】
吸込具本体と、該吸込具本体に連通する掃除機本体と、該掃除機本体に形成される集塵空間とを備える電気掃除機であって、
前記集塵空間には、集塵空間略中央部に、上方から下面を開口した筒状体を垂下形成すると共に、前記集塵空間底面から上方に向かって筒状体の下部開口から筒状体内に延設される排気筒を形成し、前記排気筒は、少なくとも筒状体の下部開口より高い位置まで延設したことを特徴とする電気掃除機。
【請求項２】
前記集塵空間は、前記掃除機本体に着脱自在な集塵容器により構成したことを特徴とする請求項１記載の電気掃除機。
【請求項３】
前記集塵空間は、前記掃除機本体に着脱自在な集塵容器と、掃除機本体の一部とで構成したことを特徴とする請求項１記載の電気掃除機。
【請求項４】
前記筒状体を、下方になるに従って径小となる略逆円錐状に形成したことを特徴とする請求項１記載の電気掃除機。
【請求項５】
前記筒状体の入口部を筒状体上部に形成すると共に、排気筒を、筒状体の入口部近傍位置の高さまで延設したことを特徴とする請求項１記載の電気掃除機。
【請求項６】
前記筒状体の入口部を筒状態上部に形成すると共に、排気筒を、筒状体の入口部より上方位置まで延設したことを特徴とする請求項１記載の電気掃除機。
【請求項７】
前記筒状体の外周側から集塵空間内面に向かって鍔部を延設したことを特徴とする請求項１記載の電気掃除機。
【請求項８】
前記鍔部より下方の集塵空間を、空気流から分離された塵埃等が蓄積される塵埃収納空間としたことを特徴とする請求項７記載の電気掃除機。
【請求項９】
前記排気筒を前記筒状体に着脱自在に係止したことを特徴とする請求項１記載の電気掃除機。
【請求項１０】
前記筒状体外周に螺旋状に突条を形成すると共に、前記筒状体を回転させる機構を設けたことを特徴とする請求項１記載の電気掃除機。
【発明の詳細な説明】
【０００１】
【発明の属する技術分野】
本発明は電気掃除機に関し、特に、サイクロン式集塵装置を有する電気掃除機に関する。
【０００２】
【従来の技術】
従来、この種サイクロン式集塵装置を有する電気掃除機として、例えば、特開平５−１７６８７１号公報（Ａ４７Ｌ    ９／１６）に示されるものが知られている。
【０００３】
この電気掃除機は、集塵空間内に、集塵空間の上方から逆円錐型のサイクロン筒体を垂下形成すると共に、サイクロン筒体中心部にサイクロン筒体上方から排気筒を垂下形成し、集塵空間内に導いた塵埃等を含む空気を集塵空間で旋回させて空気流から比較的大きな塵埃等を分離する。塵埃等の分離された空気は、サイクロン筒体内に導き、サイクロン筒体内で旋回し、微細な塵埃を分離して排気筒から集塵容器の外部に導かれるようになっている。
【０００４】
【特許文献１】
特開平５−１７６８７１号公報
【０００５】
【発明が解決しようとする課題】
しかしながら、従来の構成においては、排気筒を集塵容器の上方から垂下形成しているため、空気の流れが複雑となり、効率が悪くなるなどの問題があった。
【０００６】
本発明は、かかる問題を解消するためになされたもので、空気の流れをスムーズにし、効率を向上し得る電気掃除機を提供することを課題とする。
【０００７】
【課題を解決するための手段】
本発明は、吸込具本体と、該吸込具本体に連通する掃除機本体と、該掃除機本体に形成される集塵空間とを備える電気掃除機であって、前記集塵空間には、集塵空間略中央部に、上方から下面を開口した筒状体を垂下形成すると共に、前記集塵空間底面から上方に向かって筒状体の下部開口から筒状体内に延設される排気筒を形成し、前記排気筒は、少なくとも筒状体の下部開口より高い位置まで延設したことを特徴とする。
【０００８】
前記集塵空間は、前記掃除機本体に着脱自在な集塵容器により構成することが好ましい。
【０００９】
前記集塵空間は、前記掃除機本体に着脱自在な集塵容器と、掃除機本体の一部とで構成することが好ましい。
【００１０】
前記筒状体を、下方になるに従って径小となる略逆円錐状に形成することが好ましい。
【００１１】
前記筒状体の入口部を筒状体上部に形成すると共に、排気筒を、筒状体の入口部近傍位置の高さまで延設することが好ましい。
【００１２】
前記筒状体の入口部を筒状態上部に形成すると共に、排気筒を、筒状体の入口部より上方位置まで延設することが好ましい。
【００１３】
前記筒状体の外周側から集塵空間内面に向かって鍔部を延設することが好ましい。
【００１４】
前記鍔部より下方の集塵空間を、空気流から分離された塵埃等が蓄積される塵埃収納空間とすることが好ましい。
【００１５】
前記排気筒を前記筒状体に着脱自在に係止することが好ましい。
【００１６】
前記筒状体外周に螺旋状に突条を形成すると共に、前記筒状体を回転させる機構を設けることが好ましい。
【００１７】
【発明の実施の形態】
以下、本発明の１実施の形態を図１から図４に基づいて詳細に説明する。本実施形態は、本発明をアップライト型電気掃除機に適用したもので、図１は集塵容器の断面図、図２は図１のＡ−Ａ断面図、図３は図１のＢ−Ｂ断面図、図４は電気掃除機の断面図である。
【００１８】
図４において、１は吸込具本体で、底面に吸込口２を有すると共に、吸込口２に臨ませて回転ブラシ３を回転自在に支持している。
【００１９】
４は前記吸込具本体１に揺動自在に支持された掃除機本体で、下部に電動送風機５を内蔵すると共に、後方上部にハンドル６を上方に延設している。
【００２０】
７は前記掃除機本体４に着脱自在に装着される透明な材質にて形成される集塵容器で、円筒状に形成され、内部には、区画壁８によって、下部に底面を開口９した集塵空間１０が、上部に後述する第１の円筒状筒体２３を回転させる回転機構１８を収納する収納空間１１が形成されている。前記集塵容器７には、集塵空間１０内に空気を旋回方向に導く吸気口７ａが形成されている。前記区画壁８の中央部には、貫通孔１２が形成され、貫通孔１２周縁から下方に向かって支持筒１３が垂下形成されている。
【００２１】
１４は前記集塵容器７の下面開口９を開閉自在に閉塞する合成樹脂製の蓋体で、集塵容器７下部一側に揺動自在に軸支され、集塵容器７下部他側に形成されたクランプ１５により集塵容器７の開口を閉塞した状態に保持するようになっている。１６は前記クランプ１５を操作する操作体で、操作体１６を下方に押圧することによりクランプ１５を揺動させ、蓋体１４を開放するようになっている。１７は前記蓋体１４略中央部に形成された排気口で、前記集塵容器７を掃除機本体４に装着した状態で、電動送風機５に連通するようになっている。
【００２２】
１８は前記収納空間１１内に収納される回転機構で、後述する第２の円筒状筒体３０から上方に突出する支持軸３９を係脱自在に支持する支持機構１９と、後述する第１の円筒状筒体２３から上方に突出する中空軸２８外周の歯車２９に噛み合う歯車２０と、該歯車２０を回転させる歯車２１を回転させる操作体２２とから構成されている。
【００２３】
２３は前記集塵容器７の集塵空間１０内略中央部に配設される合成樹脂にて形成された第１の円筒状筒体で、外周に螺旋状に突条２４を形成すると共に、中央より下方部分に多数の通気孔２５を形成している。前記第１の円筒状筒体２３は上面外周に装着したシール材２６により前記集塵容器７の区画壁８に気密に密接すると共に、下端に装着したシール材２７により蓋体１４に気密に密接するようになっている。２８は前記第１の円筒状筒体２３上面から上方に向かって突設された中空軸で、前記区画壁８の貫通孔１２を介して挿入されて外周が支持筒１３面に摺接するようになっており、先端外周には前記駆動機構１８の歯車２０に噛み合う歯車２９が形成されている。
【００２４】
３０は前記第１の円筒状筒体２３の内側に配設される第２の円筒状筒体で、合成樹脂にて形成されている。前記第２の円筒状筒体３０は、上面から同径の筒状部３１が垂下形成されており、筒状部３１下面外周部には、連通孔３２が略全周にわたり開口している。３３は前記筒状部３１内周に形成された案内翼で、前記連通孔３２から第２の円筒状筒体３０内に導かれた空気を旋回させるように導くようになっている。
【００２５】
３４は前記筒状部３１下面から下方に向かって形成された逆円錐状部で、下方になるに従って次第に小径になるように形成され、下端を開口３５している。３６は前記逆円錐状部３５の下部から下方に向かって末広がり状に形成されたスカート部で、下方を開口し、開口縁に装着したシール材３７により前記蓋体１４に気密に密着している。３８は前記逆円錐状部３４及びスカート部３６から延設された複数のリブで、後述する排気筒４０を保持するようになっている。前記リブ３８は開口３５近傍が切欠されており、第２の円筒状筒体３０の開口３５から旋回しながらおりてくる塵埃等の旋回を妨げないようになっている。
【００２６】
３９は前記第２の円筒状筒体３０上面から上方に向かって突設された枢支軸で、前記第１の円筒状筒体２３の中空軸２８を貫通して回転機構１８の支持機構１９に係脱自在に係合するようになっている。そして、前記枢支軸３９を回転機構１８の支持機構１９に係合させた状態で、集塵容器７の区画壁８と第２の円筒状筒体３０上面との間で第１の円筒状筒体２３を保持するようになっている。
【００２７】
４０は前記第２の円筒状筒体３０内に配設される円筒状の排気筒で、前記リブ３８により位置決めされ、下端開口縁が蓋体１４の排気口１７周縁に装着されるシール材４１により前記蓋体１４の排気口１７周縁に気密に密着するようになっている。前記排気筒４０は上端が第２の円筒状筒体３０の逆円錐状部３４の開口３５より上方に位置する長さに形成されており、本実施形態では、第２の円筒状筒体３０への入口である連通孔３２とほぼ同じ高さに形成されている。
【００２８】
而して、吸込具本体１の吸込口２から吸引された塵埃等は空気と共に集塵容器７の集塵空間１０に旋回方向に導かれ、集塵空間１０内で旋回し、比較的大きな塵埃等は空気から分離されて集塵容器７内面と第１の円筒状筒体２３との間の空間に堆積する。塵埃等が分離された空気は、第１の円筒状筒体２３の通気孔２５を通過し、第２の円筒状筒体３０の連通孔３２を介して第２の円筒状筒体３０内に導かれる。
【００２９】
連通孔３２を通過した空気は、案内翼３３により導かれて旋回流となり、第２の円筒状筒体３０内で旋回する。第２の円筒状筒体３０の逆円錐状部３４は下方になるに従って次第に径小になるように形成されているので、旋回流は、旋回しながら下方に導かれ、しかも、逆円錐状部３４は下方になるに従って径小になるため、旋回流が次第に高速となり、微細な塵埃等まで空気流から分離され、塵埃等はスカート部３６下方の空間に蓄積される。塵埃等が分離された空気は、排気筒４０を介して電動送風機５に導かれ、フィルタ４２で濾過された後、排気口４３から掃除機本体４外部に排気される。
【００３０】
排気筒４０は逆円錐状部３４の開口３５より上方に位置しているので、空気流から分離された塵埃等が空気流と共に排気筒４０を通過して電動送風機５に流れることはない。本実施形態では、排気筒４０を第２の円筒状筒体３０の連通孔３２と略同じ高さに形成しているので、塵埃等が空気と共に排気筒４０を介して電動送風機５に導かれるのをより確実に防止することができる。
【００３１】
集塵容器７からの排気は、排気筒４０を介して集塵容器７底面の排気孔１７から排気されるため、集塵容器７の入口から電動送風機５への流れが比較的簡素化されてスムーズとなり、空気を効率よく流すことができる。従って、集塵空間１０内での旋回流の流速を上昇させることができ、塵埃等の分離効率を向上させることができる。
【００３２】
集塵容器７内にたまった塵埃等を廃棄する際には、掃除機本体５から集塵容器７を取り外し、操作体１６を操作してクランプ１５の係合を外すと、蓋体１４が自重で開放し、集塵容器７内の塵埃等、即ち、集塵容器７と第１の円筒状筒体２３との間の空間に蓄積された塵埃等及びスカート部３６内の空間に蓄積された塵埃等が、自重で廃棄される。集塵容器７と第１の円筒状筒体２３との間の空間に蓄積された塵埃等は、旋回流により圧縮されるため、自重では廃棄されない場合があるが、回転機構１８を操作して第１の円筒状筒体２３を回転させると、第１の円筒状筒体２３外周に形成された螺旋状の突条２４が蓄積された塵埃等を下方に押圧するので、塵埃等が圧縮状態であっても、容易に且つ確実に廃棄する。
【００３３】
図５は本発明の第２の実施の形態を示し、図１から図４に示す実施の形態と同一部品は同一符号を附して説明を省略する。
【００３４】
４２は集塵容器７の集塵空間１０内略中央部に配設される合成樹脂にて形成された第１の円筒状筒体で、前記集塵容器７の上方から集塵容器７の略中央高さまでに位置しており、前記第１の円筒状筒体４２は、略中央位置から下方位置にわたり多数の通気孔４３を形成している。
【００３５】
４４は前記第１の円筒状筒体４２の内側に配設される合成樹脂にて形成された第２の円筒状筒体で、上面から同径の筒状部４５が垂下形成されており、筒状部４５には、前記第１の円筒状筒体４２の通気孔４３が形成された位置に合致するように、前記通気孔４３を介して第２の円筒状筒体４４内に導かれる空気を旋回させるように導く案内翼４６が形成されている。
【００３６】
４７は前記筒状部４４下部から下方に向かって形成される逆円錐状部で、下方になるに従って次第に径小になるように形成され、下端を開口４８している。４９は前記逆円錐状部４７の下部から下方に向かって末広がり状に形成されたスカート部で、下方を開口し、開口縁に装着したシール材３７により蓋体１４に気密に密着している。５０は前記逆円錐状部４７及びスカート部４９から外周に向かって延設された複数のリブである。５１は前記逆円錐状部４７及びスカート部４９から延設される複数のリブで、このリブ５１により支持される環状部５２により後述する排気筒＊を保持するようになっている。前記リブ５１は開口近傍が切欠されており、第２の円筒状筒体４４の開口４８から旋回しながら降りてくる塵埃等の旋回を妨げないようになっている。
【００３７】
５３は前記第２の円筒状筒体４４の筒状部４５下部に一体的に装着される鍔部で、集塵容器７内面に向かって延設され、外周が集塵容器７に近接するに従って下方に湾曲するように形成されている。前記鍔部５３は環状突起５４を第１の円筒状筒体４２下端内周に係脱自在に嵌合して、前記第１の円筒状筒体４２と第２の円筒状筒体４４を一体化するようになっている。
【００３８】
５４は前記第２の円筒状筒体４４内に配設される円筒状の排気筒で、前記環状部５２により位置決めされ、下端開口縁が蓋体１４の排気口１７周縁に装着されるシール材４１により前記蓋体１４の排気口１７周縁に気密に密着するようになっている。前記排気筒５４は、上端が第２の円筒状筒体４４の案内翼４６が形成される位置より上方に位置する長さに形成されている。
【００３９】
５６は前記第２の円筒状筒体４４上面略中央部から排気筒５４内に垂下形成された筒体で、該筒体５６により第２の円筒状筒体４４内で旋回し塵埃を分離した空気がスムーズに排気筒５５内に導くようになっている。
【００４０】
而して、吸込具本体１の吸込口２から吸引された塵埃等は空気と共に集塵容器７の集塵空間１０に旋回方向に導かれ、集塵空間１０内で旋回し、比較的大きな塵埃等は空気から分離されて、鍔部５３と集塵容器７との間隔から集塵容器７下方の塵埃収納空間５７に蓄積される。塵埃収納空間５７では、リブ５０により塵埃収納空間５７内で塵埃等が空気流と共に旋回するのが妨げられ、塵埃等を塵埃収納空間５７に圧縮状態で蓄積することができる。
【００４１】
塵埃等が分離された空気は、第１の円筒状筒体４２の通気孔４３を通過し、案内翼４６により導かれて旋回流となり、第２の円筒状筒体４４内で旋回する。第２の円筒状筒体４４の逆円錐状部４７は下方になるに従って次第に径小になるように形成されているので、旋回流の流速が増大し、微細な塵埃等まで空気流から分離され、分離された塵埃等はスカート部４９下方に蓄積される。
【００４２】
集塵容器７内に溜まった塵埃等を排気する際には、蓋体１４を開放すると、集塵容器７内の塵埃等が自重で廃棄される。集塵容器７と第１の円筒状筒体４２との間の空間に蓄積された塵埃等は、旋回流により圧縮されるため、自重では廃棄されにくいことがあるが、回転機構１８を操作して第１の円筒状筒体４２を回転させると、リブ５０により圧縮状態の塵埃等が動かされ、容易に廃棄することができる。
【００４３】
尚、上記実施形態では、集塵空間１０を集塵容器７と蓋体１４により構成したが、集塵容器を、上面を開口した有底円筒状に形成し、集塵空間の上部を集塵容器が装着される掃除機本体の一部により構成してもよい。この構成では、排気筒を集塵容器底面と一体的に形成することができる。
【００４４】
また、上記実施形態では、集塵装置をアップライト型電気掃除機に採用したが、キャニスタ型の電気掃除機に用いてもよい。更に、集塵装置内の空気の旋回軸を縦方向としているが、横方向としてもよく、更に他の種々の変更を行ってもよい。
【００４５】
【発明の効果】
本発明によれば、集塵容器からの出口を、集塵容器と電動送風機とを結ぶ線上に近い集塵容器の底面側に形成することができ、集塵容器の入口から電動送風機への空気の流れを従来に比較して簡素化できるので、空気をスムーズに流すことができ、空気の流れの効率を向上させて、集塵容器内での旋回流の流速を上げることができ、塵埃等の分離効率を向上させることができる等の効果を奏する。
【図面の簡単な説明】
【図１】本発明の一実施形態の集塵容器の断面図である。
【図２】同図１のＡ−Ａ断面図である。
【図３】同図１のＢ−Ｂ断面図である。
【図４】同電気掃除機の断面図である。
【図５】同本発明の他の実施形態の集塵容器の断面図である。
【符号の説明】
１      吸込具本体
４      掃除機本体
７      集塵容器
１０      集塵空間
２３      第１の円筒状筒体
２５      通気孔
３０      第２の円筒状筒体
３２      連通孔
３４      逆円錐状部
３５      開口
４０      排気筒
４２      第１の円筒状筒体
４３      通気孔
４４      第２の円筒状筒体
４７      逆円錐状部
４８      開口
５３      鍔部
５５      排気筒
【図１】
2004305230.tif 000003
【図２】
2004305230.tif 000004
【図３】
2004305230.tif 000005
【図４】
2004305230.tif 000006
【図５】
2004305230.tif 000007